(57)【要約】【課題】  携帯電話機からＷｅｂページをアクセスするためのログイン情報を入力する操作を簡素化する。【解決手段】    携帯電話機からＷｅｂサーバが公開する情報等を提供するための特定のＷｅｂページをアクセスするときに、Ｗｅｂサーバはアクセスするユーザーのログイン情報を取得するためのログイン用ＷｅｂページＲを携帯電話機に表示すると共に、ユーザーに関するログイン情報と、このユーザーがＷｅｂサーバをアクセスする携帯電話機についてこの携帯電話機に固有の識別情報とを関連付けて登録したユーザー認証用データベースを備えている。さらに、このログイン用ＷｅｂページＲは、携帯電話機からこの携帯電話機に固有の識別情報を取得する手段を備えている。これにより、ログイン用ＷｅｂページＲから、ユーザーに関するログイン情報と、携帯電話機に固有の識別情報によりこの特定のＷｅｂページへのアクセスを可能にしたログインシステムである。【選択図】図１
2007133845.tif 000002
【特許請求の範囲】
【請求項１】
携帯電話機によりＷｅｂサーバをアクセスしたユーザーが、さらに特定のＷｅｂページをアクセスするために、前記Ｗｅｂサーバはログイン用Ｗｅｂページを前記携帯電話機に表示するログインシステムにおいて、
前記Ｗｅｂサーバは、前記ユーザーに関するログイン情報と、前記ユーザーが前記特定のＷｅｂページをアクセスする前記携帯電話機について該携帯電話機に固有の識別情報とを、関連付けして登録したユーザー認証用データベースを備えると共に、
前記ログイン用Ｗｅｂページは、前記ユーザーに関するログイン情報の取得と、前記携帯電話機に対して該携帯電話機に固有の識別情報の取得と、を行なうための手段を備え、
前記Ｗｅｂサーバは、前記ログイン用Ｗｅｂページから取得した前記ユーザーに関するログイン情報、または前記携帯電話機に固有の識別情報から、前記特定のＷｅｂページへのアクセスの認可を判定する手段を備えていることを特徴とする携帯電話機からＷｅｂページをアクセスするためのログインシステム。
【請求項２】
前記Ｗｅｂサーバは、前記特定のＷｅｂページをアクセスする前記携帯電話機について、該携帯電話機に固有の識別情報を取得ためのＷｅｂページを備えていることを特徴とする請求項１に記載の携帯電話機からＷｅｂページをアクセスするためのログインシステム。
【請求項３】
前記携帯電話機に固有の識別情報は、前記携帯電話機の機体番号とされていることを特徴とする請求項１または請求項２に記載の携帯電話機からＷｅｂページをアクセスするためのログインシステム。
【請求項４】
前記携帯電話機に固有の識別情報は、前記携帯電話機が備えているＩＣカードまたは非接触ＩＣチップの固有の番号とされていることを特徴とする請求項１または請求項２に記載の携帯電話機からＷｅｂページをアクセスするためのログインシステム。
【請求項５】
請求項１から請求項４に記載のログインシステムを備えていることを特徴とする携帯電話機で撮像した映像をＷｅｂサーバにアップロードするためのシステム。
【発明の詳細な説明】
【技術分野】
【０００１】  本発明は、インターネット接続機能を備えた携帯電話端末からＷｅｂサーバをアクセスして、このＷｅｂサーバから情報の閲覧等の所定の情報提供サービスを受けるためのログインシステム、および携帯電話機で撮像した映像をＷｅｂサーバにアップロードするためのシステムに関するものである。
【背景技術】
【０００２】  従来から、インターネットに接続されたパーソナルコンピュータ等の端末装置、あるいはインターネット接続機能を備えた携帯電話端末（以下、携帯電話機という）から、インターネットに接続されているＷｅｂサーバ（サイト）をアクセスして、Ｗｅｂサーバから所定の情報提供のサービス等を受ける場合、Ｗｅｂサーバはこれら端末装置や携帯電話機の画面にログイン用のＷｅｂページを表示して、ユーザーを認証するログインシステムが採用されている。【０００３】  このログインシステムにおいては、一般に、上記ログイン用Ｗｅｂページに、端末装置や携帯電話機を使用するユーザーに関するログイン情報となるユーザー名とパスワードを入力する領域が設定されている。ユーザーは、このログイン用Ｗｅｂページに、予めＷｅｂサーバのデータベースに登録されているこれら自分のユーザー名とパスワードからなるログイン情報を入力してＷｅｂサーバに送信する。すると、Ｗｅｂサーバのユーザー認証プログラムは、受信したユーザー名とパスワードが予めデータベースに登録されているか否かを判定（認証）する。そして、データベースに登録済みであると判定すると、Ｗｅｂサーバは次のサービス提供用Ｗｅｂページ（特定のＷｅｂページ）を表示する処理を行なう。続いて、ユーザーは携帯電話機等に表示されたこの特定のＷｅｂページに必要事項を入力することにより、Ｗｅｂサーバから提供される情報（コンテンツ）を閲覧することが可能になっている。【０００４】  このようなログインシステムは、予め会員登録したユーザーを対象とした各種の情報提供システムや情報検索サービスシステム、通信販売等におけるポイント提供システム等において、ユーザーを認証する手段として実施されている。このようなインターネットを利用した情報提供システム等において、ユーザーがＷｅｂサーバをアクセスして情報提供等のサービスを受けために、端末装置や携帯電話機側から上記ユーザー名とパスワードを入力する操作は面倒なものになる。特に、携帯電話機は文字入力の操作性が低いため、携帯電話機からＷｅｂサーバをアクセスする都度、ユーザーに関するログイン情報であるユーザー名とパスワードを入力する操作は面倒になる。【０００５】  インターネット接続機能を備えた携帯電話機からＷｅｂサーバをアクセスし、Ｗｅｂサーバが提供する特定の情報を閲覧するために、上記したユーザー名とパスワードを入力する操作を改善したシステムとして、例えば、下記の特許文献１が提案されている。【０００６】
【特許文献１】  特開２００３−３３３２０８号公報
【０００７】  特許文献１に記載の通信システムは、携帯電話機がコンテンツサーバにアクセスするときに、予め携帯電話機のメモリにコンテンツサーバのＵＲＬに関連付けして、このコンテンツサーバからコンテンツの提供を受けるためのユーザーのログインネームとパスワードをブックマークとして記憶しておく。これにより、特許文献１に記載のシステムは、携帯電話機からコンテンツサーバをアクセスしてコンテンツの提供を受けるときには、このブックマーク機能を利用することにより、ログインネームとパスワードを入力することなくコンテンツサーバをアクセスすることを可能にしたものである。
【発明の開示】
【発明が解決しようとする課題】
【０００８】  上記特許文献１に記載の発明は、携帯電話機が備えているブックマーク機能を利用して、予めコンテンツサーバのＵＲＬと関連付けしてこの携帯電話機を所有するユーザーのログインネームとパスワードを登録しておくことにより、コンテンツサーバをアクセスするときにユーザーに関するログイン情報の入力操作を不要とするものである。しかしながら、特許文献１に記載の発明においては、携帯電話機のメモリにコンテンツサーバのＵＲＬと、このサーバにログインするためのユーザーに関するログイン情報が登録されているため、他人がこのユーザーに関するログイン情報を知った場合には、この他人は自分の携帯電話機を利用して、コンテンツサーバをアクセスすることが可能になる。【０００９】  そこで、本発明の目的は、携帯電話機から情報提供サービス等を行なうＷｅｂサーバ（サイト）をアクセスするときに、Ｗｅｂサーバはアクセスするユーザーを確実に認証することを可能にすると共に、ユーザーがＷｅｂサーバの特定のＷｅｂページをアクセスするためのログイン操作を極めて簡素化した、携帯電話機からＷｅｂサーバのＷｅｂページをアクセスするためのログインシステムを提供することにある。
【課題を解決するための手段】
【００１０】  本発明は、携帯電話機によりＷｅｂサーバをアクセスしたユーザーが、さらに特定のＷｅｂページをアクセスするために、前記Ｗｅｂサーバはログイン用Ｗｅｂページを前記携帯電話機に表示するログインシステムにおいて、
前記Ｗｅｂサーバは、前記ユーザーに関するログイン情報と、前記ユーザーが前記特定のＷｅｂページをアクセスする前記携帯電話機について該携帯電話機に固有の識別情報とを、関連付けして登録したユーザー認証用データベースを備えると共に、
前記ログイン用Ｗｅｂページは、前記ユーザーに関するログイン情報の取得と、前記携帯電話機に対して該携帯電話機に固有の識別情報の取得と、を行なうための手段を備え、
前記Ｗｅｂサーバは、前記ログイン用Ｗｅｂページから取得した前記ユーザーに関するログイン情報、または前記携帯電話機に固有の識別情報から、前記特定のＷｅｂページへのアクセスの認可を判定する手段を備えている携帯電話機からＷｅｂページをアクセスするためのログインシステムである。【００１１】  さらに、本発明は、前記Ｗｅｂサーバは、前記特定のＷｅｂページをアクセスする前記携帯電話機について、該携帯電話機に固有の識別情報を取得ためのＷｅｂページを備えている携帯電話機からＷｅｂページをアクセスするためのログインシステムである。【００１２】  さらに、本発明は、前記携帯電話機に固有の識別情報は、前記携帯電話機の機体番号とされている携帯電話機からＷｅｂページをアクセスするためのログインシステムである。
この機体番号とは、携帯電話機の製造番号等、個々の携帯電話機を識別する番号であって所定の桁数を有し、携帯電話機のメモリに記憶されている。【００１３】  さらに、本発明は、前記携帯電話機に固有の識別情報は、前記携帯電話機が備えているＩＣカードの固有の番号とされている携帯電話機からＷｅｂページをアクセスするためのログインシステムである。このＩＣカードの固有の番号とは、ＩＣカードのメモリに予め記憶されているＩＣカードに固有の番号、例えば、所定桁数の製造番号を示す。【００１４】  さらに、本発明は、上記ログインシステムを備えている、携帯電話機で撮像した映像をＷｅｂサーバにアップロードするためのシステムである。
【発明の効果】
【００１５】  本発明は、次のような効果を有している。
（１）Ｗｅｂサーバから自分の携帯電話機にコンテンツ等の提供を受けるユーザーは、一度、自分が所有している携帯電話機に固有の機体番号等の識別情報をＷｅｂサーバに登録しておくと、この携帯電話機に固有の識別情報をログイン情報として、Ｗｅｂサーバが情報提供のために公開するＷｅｂページを携帯電話機の極めて簡単なキー操作により、アクセスすることができるようになる。これにより、各種のＷｅｂサイトが携帯電話機向けに提供する情報提供システム等において、ユーザーが特定のＷｅｂページにログインするための操作を著しく簡素化したログインシステムを提供することが可能になる。特に、本発明は、携帯電話機で撮像した映像をＷｅｂサーバにアップロードするためのシステムに適用するとその効果が大になる。【００１６】  （２）携帯電話機の機体番号、あるいは、携帯電話機に搭載されているＩＣカードの製造番号等の固有情報は、個々の携帯電話機を識別するための固有の識別情報となる。本発明は、この携帯電話機に固有の機体番号等の識別情報を、Ｗｅｂサーバが情報提供サービスのために公開する特定のＷｅｂページをアクセスするためのログイン情報にしている。これにより、ユーザーが携帯電話機に固有の機体番号等をＷｅｂサーバに送信してこの特定のＷｅｂページをアクセスするときに、Ｗｅｂサーバはこのユーザーが所有している携帯電話機からアクセスされたか否か、すなわち、正当なユーザーからアクセスされたか否かを判定することが可能になり、他人が自分の携帯電話機を使用して情報提供のサービスを受けることを防止できるログインシステムを提供することができる。【００１７】  （３）また、本発明は、ユーザーに関するログイン情報であるユーザー名とパスワードを入力してもＷｅｂサーバの特定のＷｅｂページをアクセスすることを可能にしているが、このログイン情報は携帯電話機のメモリには記憶していないので、他人に知られて悪用される可能性は低くなる。【００１８】  （４）今後、携帯電話機の機能の向上に伴って、携帯電話機で撮像した映像をＷｅｂサーバに蓄積して配信する情報提供システムが広く普及することが予想される。このような情報提供システムにおいて、携帯電話機で撮像した映像をＷｅｂサーバにアップロードするときのユーザーの認証システムとして本発明を適用すると、ユーザーは極めて簡単な携帯電話機の操作により映像をアップロードすることができるようになる。これにより、携帯電話機を利用した映像配信システムが広く普及することが期待できる。
【発明を実施するための最良の形態】
【００１９】  以下、本発明を実施するための形態を、図１に基づいて説明する。図１は、本発明のシステムを実施するための第１の実施形態を示すシステム構成図である。図１に示すシステムは、例えば、ユーザーの携帯電話機に、Ｗｅｂサーバに蓄積している各種の情報（コンテンツ）を提供するサービスを行なうための情報提供システムの一例を示している。【００２０】  図１において、１はＷｅｂサーバ、１ａはパーソナルコンピュータ等から構成される端末装置、２ａ〜２ｃはユーザーの携帯電話機、３はインターネット・サービス・プロバイダー（ＩＳＰ）のサーバ、４ａ〜４ｃは携帯電話サービス会社の地上基地局、５ａ〜５ｃは携帯電話サービス会社のインターネット接続用サーバ、６はインターネット通信網である。パーソナルコンピュータ１ａは、Ｗｅｂサーバ１をアクセスして、例えば、Ｗｅｂサーバ１が備えている各種のデータベース等をメンテナンスするために使用する端末装置である。以下の説明において、ユーザーの携帯電話機２ａ〜２ｃを代表して説明するときには、「携帯電話機２」と記載する。なお、携帯電話機２はブラウザソフトウエアが搭載されたインターネット接続機能を備えている携帯電話機である。【００２１】  Ｗｅｂサーバ１は、Ｗｅｂサーバ１をアクセスした携帯電話機２に各種のコンテンツ（情報）を提供するサービスを行なうサーバであって、インターネットを介して携帯電話機２に公開する各種のＷｅｂページ群を備えているＷｅｂサイトとなる。これらのＷｅｂページ群は、携帯電話機２がＷｅｂサーバ１をアクセスしたときに表示されるトップページ（ホームページ）からリンクされている。また、携帯電話機２に提供するコンテンツは静止画像や動画像等の映像（音声も含んでもよい）も可能であり、これら映像データに関するファイルもＷｅｂサーバ１、あるいは他のＷｅｂサーバのハードディスク装置等に記憶されている。【００２２】  また、Ｗｅｂサーバ１は、Ｗｅｂサーバ１をアクセスした会員等の特定のユーザーに対して公開する特定のＷｅｂページを備えている。この特定のＷｅｂページとは、例えば、図１に示す情報提供システムの利用についてユーザー登録を行なったユーザーに対して、各種の情報を提供するためのＷｅｂページ、あるいはユーザーが要求する情報を検索するためのＷｅｂページ等である。そして、本発明は、携帯電話機２からこの特定のＷｅｂページをアクセスするために、従来から実施されている携帯電話機２を所有しているユーザーに関するログイン情報を入力するためのログイン用Ｗｅｂページを備えている。【００２３】  さらに、Ｗｅｂサーバ１は、図２に示すようなデータ構成を有するユーザー認証用データベースＤを予め備えている。ユーザー認証用データベースＤは、携帯電話機２を所有しているユーザーがこの携帯電話機２を使用して上記した特定のＷｅｂページをアクセスするために、このユーザーを認証するためのデータが予め登録されている。【００２４】  図２に示すように、ユーザー認証用データベースＤには、ユーザーを認証するためのデータとして、ユーザーに関するログイン情報となるユーザー名ｄ１とパスワードｄ２、およびＷｅｂサーバ１をアクセスするユーザーの携帯電話機２の機体番号ｄ３に関するデータが登録されている。また、ユーザーの携帯電話機２にＩＣカード（あるいは非接触ＩＣカード）が装着されている場合には、このＩＣカードの製造番号ｄ４を登録してもよい。【００２５】  なお、ユーザー認証用データベースＤに、予めユーザーに関するログイン情報となるユーザー名ｄ１とパスワードｄ２を登録する作業は、次のようにして行なう。【００２６】  すなわち、図１に示す情報提供システムを管理運営するシステム管理者、例えばＷｅｂサーバ１の管理者は、本システムを利用するユーザーをＷｅｂサーバ１等が公開するＷｅｂページ、あるいは各種の情報誌等の刊行物を利用して募集する。そして、ユーザーが確定すると、ユーザーの申告により、このユーザーが本システムをアクセスして利用するためのユーザーに関するログイン情報となるユーザー名ｄ１とパスワードｄ２を決定する。この決定したユーザー名ｄ１とパスワードｄ２を、端末装置１ａを操作してユーザー認証用データベースＤに登録する作業を行なう。なお、図２に示すユーザー認証用データベースＤには示していないが、ユーザーごとに、氏名、住所、メールアドレス等のユーザーに関する属性データも登録する。ユーザー認証用データベースＤに、ユーザーの携帯電話機２の機体番号ｄ３、またはＩＣカードの製造番号ｄ４を登録する手順については後記する。【００２７】  続いて、図１に示す情報提供システムについて、ユーザーの携帯電話機２がＷｅｂサーバ１をアクセスし、Ｗｅｂサーバ１が携帯電話機２に情報を提供するためのＷｅｂページを閲覧するための操作およびこの操作に伴うＷｅｂサーバ１と携帯電話機２の処理手順について説明する。この操作およびその処理手順は、下記（手順１）〜（手順８）に記載したようになる。【００２８】（手順１）
本システムの利用についてシステム管理者と契約したユーザーは、携帯電話機２を使用してＷｅｂサーバ１の情報提供システムのＵＲＬをアクセスする。このＷｅｂサーバ１のＵＲＬは、システム管理者が本システムの利用について契約したユーザーに事前に連絡するようにする。また、本システムを利用するために、システム管理者は、Ｗｅｂサーバ１のＵＲＬを含む２次元コード８を印刷した情報誌等の印刷物７（図１に示す）を発行し、ユーザーはこの２次元コードを携帯電話機２により撮像してＷｅｂサーバ１の情報提供システムのＵＲＬをアクセスするようにしてもよい。【００２９】（手順２）
インターネット接続機能を有するユーザーの携帯電話機２がＷｅｂサーバ１の情報提供システムのＵＲＬをアクセスすると、Ｗｅｂサーバ１はプログラム処理により、図３に示すようなログイン用ＷｅｂページＲを携帯電話機２の画面に表示する処理を行なう。このログイン用ＷｅｂページＲは、主として二つの表示領域ＡとＢから構成されている。【００３０】  ログイン用ＷｅｂページＲの表示領域Ａには、Ｗｅｂサーバ１が備えている特定のＷｅｂページをアクセスするために、ユーザーに関するログイン情報であるユーザーのユーザー名ｄ１とパスワードｄ２を入力する枠ｒ１、ｒ２が設定されている。ユーザーが表示領域Ａの枠ｒ１、ｒ２に自分のユーザー名ｄ１とパスワードｄ２を入力して「ログイン」領域ｒ３をクリックすると、Ｗｅｂサーバ１はプログラム処理により、ログイン用ＷｅｂページＲから入力されたユーザーに関するログイン情報であるユーザー名ｄ１とパスワードｄ２のデータを取得することができる。【００３１】  ログイン用ＷｅｂページＲの表示領域Ｂは、ユーザーがＷｅｂサーバ１が備えている特定のＷｅｂページをアクセスするときに、ユーザーの携帯電話機２の機体番号等の識別情報によりログインするための領域であって、この表示領域Ｂの使用方法については後記する。【００３２】  このように、ユーザーが表示領域Ａにユーザー名ｄ１とパスワードｄ２を入力して「ログイン」領域ｒ３をクリックすると、Ｗｅｂサーバ１に搭載されているユーザー認証プログラムは、この取得したユーザー名ｄ１とパスワードｄ２がユーザー認証用データベースＤに登録されているか否かを判定することにより、Ｗｅｂサーバ１をアクセスしたユーザーが正当なユーザーであるか否かを認証することができる。【００３３】  そして、Ｗｅｂサーバ１をアクセスしたユーザーが正当なユーザーであると判定すると、Ｗｅｂサーバ１のプログラムは、図４に示すログイン確認用ＷｅｂページＳを携帯電話機２の画面に表示する処理を行なう。このログイン確認用ＷｅｂページＳは、ユーザーが前記したログイン用ＷｅｂページＲに入力したログイン情報について、Ｗｅｂサーバ１が正当なユーザーによりログインされたか否かの判定結果を表示し、その判定結果をユーザーに確認させる機能を備えている。【００３４】  図４に示すログイン確認用ＷｅｂページＳは、主として二つの表示領域Ａ１とＢ１から構成されている。Ｗｅｂサーバ１のユーザー認証プログラムは、前記したログイン用ＷｅｂページＲを利用して正当なユーザーがログインしたと判定した場合には、表示領域Ａ１に「ＹＥＳ」枠ｓ１を表示して、ユーザーに次の特定のＷｅｂページに進むことを促すようにする。そして、ユーザーは表示領域Ａ１の「ＹＥＳ」枠ｓ１をクリックすると、次の特定のＷｅｂページ（図示せす）を携帯電話機２の画面に表示する処理を行なう。ユーザーは、表示されたこの特定のＷｅｂページに従って必要事項等を入力する操作を行なうことにより、Ｗｅｂサーバ１はプログラム処理によりＷｅｂサーバ１が提供する情報を、携帯電話機２の画面に表示する処理を行なう。これにより、ユーザーは携帯電話機２の画面に表示された情報を閲覧することが可能になる。【００３５】  一方、Ｗｅｂサーバ１のユーザー認証プログラムは、前記したログイン用ＷｅｂページＲを利用して正当なユーザーがログインしていないと判定した場合には、表示領域Ａ１に「ログイン情報が未登録です」等の表示を行なう。【００３６】  ログイン確認用ＷｅｂページＳの表示領域Ｂ１は、ユーザーが自分の携帯電話機２に固有の識別情報をＷｅｂサーバ１に登録するとき、あるいは、ユーザーが携帯電話機２の機種変更を行なったとき、この機種変更した携帯電話機に固有の識別情報をＷｅｂサーバ１に登録するときに利用するＷｅｂページの領域である。【００３７】  ユーザーが、自分の携帯電話機２に固有の識別情報をＷｅｂサーバ１に登録していないときに、この携帯電話機２に固有の創り情報を登録する操作、この操作に伴うＷｅｂサーバ１と携帯電話機２の処理内容は下記の（手順３）〜（手順８）に記載の内容により行なうことができる。【００３８】（手順３）
まず、ユーザーはＷｅｂサーバ１をアクセスして、携帯電話機２に図３に示すログイン用ＷｅｂページＲを表示させる。続いて、ログイン用ＷｅｂページＲの表示領域Ａの枠ｒ１にユーザー名、枠ｒ２にパスワードを入力して「ログイン」枠ｒ３をクリックする。この操作により、Ｗｅｂサーバ１のユーザー認証プログラムは、取得したユーザー名ｄ１とパスワードｄ２がユーザー認証用データベースＤに登録されているか否かを判定する。そして、正常なユーザーがログインしたと判定された場合には、前記したように図４に示すログイン確認用ＷｅｂページＳを携帯電話機２に表示する処理を行なう。【００３９】（手順４）
続いて、ユーザーは、グイン確認用ＷｅｂページＳの表示領域Ｂ１に表示されている「端末登録」枠ｓ２をクリックする。【００４０】（手順５）
Ｗｅｂサーバ１のプログラムは、この「端末登録」枠ｓ２のクリック信号を取得すると、図５に示す携帯電話機情報登録用ＷｅｂページＴを携帯電話機２に表示する処理を行なう。【００４１】（手順６）
ユーザーが携帯電話機情報登録用ＷｅｂページＴの「ＹＥＳ」枠ｔ１をクリックするとそのクリック信号に基づいて、Ｗｅｂサーバ１のプログラムは、携帯電話機２に対して、携帯電話機２に固有の識別情報の送信要求を送信する。携帯電話機２は、この送信要求のデータを受信すると、携帯電話機２に搭載されているブラウザソフトウエアは、携帯電話機２のメモリに記憶されている機体番号ｄ３、あるいはＩＣカードの製造番号ｄ４を読み取ってＷｅｂサーバ１に送信する処理を行なう。【００４２】（手順７）
Ｗｅｂサーバ１は、携帯電話機２から携帯電話機２に固有の識別情報を取得すると、プログラム処理により、この携帯電話機２に固有の識別情報（ｄ３又はｄ４）を、ログイン用ＷｅｂページＲの表示領域Ａから所得したユーザーのユーザー名ｄ１とパスワードｄ２と関連付けして、図２に示すようにユーザー認証用データベースＤに登録する。なお、Ｗｅｂサーバ１は携帯電話機２から携帯電話機２に固有の識別情報を取得すると、図５に示す携帯電話機情報登録用ＷｅｂページＴの枠ｔ２内に取得した機体番号を所定の時間表示する処理を行なうようにする。【００４３】  なお、上記（手順４）〜（手順７）において、Ｗｅｂサーバ１は、ログイン確認用ＷｅｂページＳの「端末登録」枠ｓ２のクリック信号を取得すると、携帯電話機２に対して、携帯電話機２に固有の識別情報の送信要求を送信する。そして、携帯電話機２から携帯電話機２に固有の識別情報を取得すると、図５に示す携帯電話機情報登録用ＷｅｂページＴを携帯電話機２に表示すると共に、枠ｔ２内に取得した機体番号等を表示する処理を行なう。続いて、ユーザーが「ＹＥＳ」枠ｔ１をクリックすると、次の（手順８）の処理を行なうようにしてもよい。
上記したログイン確認用ＷｅｂページＳと電話機情報登録用ＷｅｂページＴは、携帯電話機に固有の識別情報を取得するためのＷｅｂページになる。【００４４】（手順８）
Ｗｅｂサーバ１は、上記（手順７）により、ユーザーの携帯電話機２に固有の識別情報を取得すると、携帯電話機２に図３に示すログイン用ＷｅｂページＲを表示する処理を行なう。【００４５】  上記した（手順３）〜（手順８）を実施することにより、ユーザーは、図３に示すログイン用ＷｅｂページＲの表示領域Ａ、または表示領域Ｂのいずれかを利用してＷｅｂサーバ１の特定のＷｅｂページをアクセスすることが可能になる。【００４６】  なお、ユーザーの携帯電話機２についてその固有の識別情報である機体番号ｄ３とＩＣカードの製造番号ｄ４の何れをＷｅｂサーバ１に登録するかは、システム管理者がユーザーと契約を行なう際に取り決めておき、その情報をユーザー認証用データベースＤに登録しておき、この情報に基づいてＷｅｂサーバ１は、携帯電話機２のメモリに記憶されている機体番号ｄ３、あるいはＩＣカードの製造番号ｄ４にいずれかを取得してユーザー認証用データベースＤに登録するようにしてもよい。【００４７】  本発明は、第１の実施形態の情報提供システムのように、ユーザーが携帯電話機２を使用してＷｅｂサーバ１が公開する特定のＷｅｂページをアクセスするための認証（認可）方法として、従来から実施されているユーザーに関するログイン情報により認証する方法と、携帯電話機２に固有の識別情報に基づいて認証する方法のいずれの方法からも、ログインすることを可能にしたことに特徴がある。以下、この二つの認証方法について説明する。【００４８】（ユーザーに関するログイン情報により認証する方法）
前記したように携帯電話機２がＷｅｂサーバ１の情報提供サービスシステムのＵＲＬをアクセスすると、Ｗｅｂサーバ１は図３に示すようなログイン用ＷｅｂページＲを携帯電話機２の画面に表示する。【００４９】ユーザーが予め登録した自分のログイン情報を用いて特定のＷｅｂページをアクセスする場合には、ログイン用ＷｅｂページＲの表示領域Ａにユーザー名ｄ１とパスワードｄ２を入力して「ログイン」枠ｒ３をクリックすると、Ｗｅｂサーバ１は入力されたユーザー名ｄ１とパスワードｄ２に関するデータを取得することができる。これにより、Ｗｅｂサーバ１のユーザー認証プログラムは、取得したユーザー名ｄ１とパスワードｄ２がユーザー認証用データベースＤに登録されているか否かを判定することにより、正当なユーザーがアクセス（ログイン）したかを認証することができる。【００５０】  そして、Ｗｅｂサーバ１のユーザー認証プログラムは、正当なユーザーがアクセスしたと判定すると、図４に示すログイン確認用ＷｅｂページＳを表示し、ユーザーが「ＹＥＳ」枠ｓ１をクリックすると、情報提供サービスを行なうための特定のＷｅｂページをこのユーザーの携帯電話機２の画面に表示する処理を行なう。これにより、ユーザーは携帯電話機２の画面に配信された情報（コンテンツ）を閲覧することができる。【００５１】（携帯電話機に固有の識別情報に基づいて認証する方法）
ユーザーが予め登録した携帯電話機２に固有の識別情報により特定のＷｅｂページをアクセスする場合には、ユーザーは図３に示すログイン用ＷｅｂページＲの表示領域Ｂに表示されている「Ｅａｓｙ」枠ｒ４のみをクリックする。【００５２】  Ｗｅｂサーバ１のプログラムは、「Ｅａｓｙ」枠ｒ４のクリック信号を取得すると、携帯電話機２に対して、携帯電話機２に固有の識別情報を取得するための送信要求を送信する。携帯電話機２はこの送信要求を受信すると、携帯電話機２に搭載されているブラウザソフトウエアは、前記したように携帯電話機２のメモリに記憶されている携帯電話機２に固有の識別情報である機体番号等を送信する。【００５３】  Ｗｅｂサーバ１に搭載されているユーザー認証プログラムは、携帯電話機２から携帯電話機２に固有の識別情報を取得すると、この取得した携帯電話機２に固有の識別情報がユーザー認証用データベースＤに登録されているか否かを判定する。これにより、ユーザー認証プログラムは、正当なユーザーが予め登録した携帯電話機２に固有の識別情報を用いてＷｅｂサーバ１の特定のＷｅｂページをアクセスしようとしているか否かを認証することができる。この理由は、携帯電話機２に固有の識別情報である機体番号ｄ３等は、このユーザーが所有している携帯電話機２を識別するための固有の情報になるからである。【００５４】  Ｗｅｂサーバ１に搭載されているユーザー認証プログラムは、ユーザーがアクセスした携帯電話機２に固有の識別情報がユーザー認証用データベースＤに登録されていると判定すると、図４に示すログイン確認用ＷｅｂページＳを表示し、ユーザーが「ＹＥＳ」枠ｓ１をクリックすると、情報提供サービスを行なうための特定のＷｅｂページをこのユーザーの携帯電話機２の画面に表示する処理を行なう。これにより、ユーザーは携帯電話機２の画面に配信された情報（コンテンツ）を閲覧することができる。【００５５】  上記したように、ユーザーは自分の携帯電話機２に固有の識別情報をＷｅｂサーバ１に登録しておくと、Ｗｅｂサーバ１が提供するＷｅｂページを含むコンテンツを閲覧する場合、ログイン用ＷｅｂページＲの表示領域Ｂに表示されている「Ｅａｓｙ」をクリックし、続いて、ログイン確認用ＷｅｂページＳの「ＹＥＳ」枠ｓ１をクリックするのみで目的とするＷｅｂページをアクセス（ログイン）することができる。【００５６】  これにより、本発明のログインシステムは、Ｗｅｂサーバ１が提供するＷｅｂページを含むコンテンツを閲覧するとき、携帯電話機に固有の機体番号等の識別情報をログイン情報としているので、毎回、ユーザーのユーザー名ｄ１とパスワードｄ２をログイン情報として入力するための面倒なキー入力操作が不要になる。さらに、他人が自分の携帯電話機を使用して特定のＷｅｂページをアクセスすることが不可能になるので、セキュリティが高い各種の情報提供システムを構築することが可能になる。【００５７】  なお、ログイン用ＷｅｂページＲに表示する表示領域Ａと表示領域Ｂとは、図３に示すように、携帯電話機１の表示画面の１画面（１ページ）に表示してユーザーの画面操作に手間を要しないようにする。【００５８】  また、本発明のシステムにおいて、ユーザーが���帯電話機２の機種変更を行なった場合も、機種変更した携帯電話機に固有の識別情報をＷｅｂサーバ１に再登録する操作も極めて簡単になるという効果を有している。この再登録する操作は、前記した携帯電話機２についてその携帯電話機２に固有の識別情報をＷｅｂサーバ１に登録する操作と同じ操作でよい。【００５９】  また、携帯電話機２に固有の識別情報として、携帯電話機２に搭載されているＩＣカードの製造番号をログインする情報として使用すると、ユーザーが携帯電話機２の機種変更を行なっても、ＩＣカードの製造番号の再登録を行なう必要がなくなるという効果が生じる。この理由は、携帯電話機用のＩＣカードは、携帯電話機の機種を変更しても共通して使用することが可能になるからである。【００６０】  続いて、本発明の第２の実施形態について説明する。第２の実施形態は携帯電話機で撮像した画像（静止画像）や動画像を、携帯電話機を所有している視聴者に配信する情報提供システムである。そして、この情報提供システムにおいて、携帯電話機で撮像した画像を画像蓄積サーバにアップロードするときに、前記した本発明のログインシステムを適用したものである。【００６１】  図６は、第２の実施形態のシステム構成例を示す図である。図６において、１１は管理サーバ、１１ａはパーソナルコンピュータから構成される端末装置である。１２ａ〜１２ｃは携帯電話機であって、携帯電話機１２ａ〜１２ｃで予め撮像した動画像を含む画像（以下、映像という）を映像蓄積サーバにアップッロードするための映像配信依頼者の携帯電話機である。この映像は、音声を含んだ映像であってもよい。携帯電話機１２ａ〜１２ｃは、インターネット接続機能と、例えば、３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した動画像を撮像する（ＭＰＥＧ−４で画像圧縮）ことができるカメラ機能を備えている。なお、端末装置１１ａは、管理サーバが備えているデータベースを更新する操作を行なうとき等に使用する端末装置である。【００６２】  １３ａ、１３ｂは、携帯電話機１２ａ〜１２ｃで撮像した映像データを携帯電話機１２ａ〜１２ｃからのアップロードにより蓄積する映像蓄積サーバである。システムの規模が小さいときには、管理サーバ１１が映像蓄積サーバ１３ａ、１３ｂを兼用してもよい。【００６３】  １４ａ、１４ｂは、映像蓄積サーバ１３ａ、１３ｂに蓄積されている映像を、管理サーバ１１にアクセスして配信要求する視聴者の携帯電話機である。視聴者の携帯電話機１４ａ、１４ｂは、インターネット接続機能と、動画像を再生する３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した機能を備えている。【００６４】  図６において、インターネット・サービス・プロバイダー（ＩＳＰ）のサーバ、携帯電話サービス会社の地上基地局、携帯電話サービス会社のインターネット接続用サーバ、インターネット通信網は、図１と同一の符号を付している。また、以下の説明において、携帯電話機１２ａ〜１２ｃを代表して説明するときは、「携帯電話機１２」と記載する。【００６５】  管理サーバ１１は、携帯電話機１２で撮像した映像データを映像蓄積サー��１３ａ、１３ｂにアップロードするときに、アップロードする映像配信依頼者の認証とアップロードの操作を支援する機能と、視聰者の携帯電話機１４ａ、１４ｂが映像蓄積サーバ１３ａ、１３ｂに蓄積した映像の配信要求を行なったときの受信処理とこの配信要求に対する配信制御を行なう機能を備えている。管理サーバ１１がこの携帯電話機１２で撮像した映像データをアップロードする映像配信依頼者を認証する処理は、前記した第１の実施形態のシステムが備えている認証手順と同じになる。【００６６】  図６に示す情報提供システムにおいては、例えば、管理サーバ１１を管理運営するシステム管理者は、携帯電話機１２で撮像した映像を配信する映像配信依頼者を募集する。映像配信依頼者とは、一般の商店、飲食店等の店舗、各種の企業や団体、個人を含む。そして、システム管理者は、映像配信依頼者が決定すると、図７に示すような配信管理データベースＤ１を作成して管理サーバ１１に登録する。【００６７】  図７に示す配信管理データベースＤ１は、図２に示すユーザー認証用データベースＤにチャンネル番号ｄ５と映像蓄積サーバのＵＲＬ（ｄ６）に関するデータとを追加して登録したデータ構成にしたものである。チャンネル番号ｄ５とは、システム管理者が予め設定した所定の桁数、例えば、６桁〜１２桁程度の数字または英数字から構成される固有の識別番号である。そして、映像配信依頼者が決定すると、システム管理者は映像配信依頼者の要請に基づいて映像配信依頼者ごとに一つまたは複数のチャンネル番号ｄ５を割付ける。なお、システム管理者はこのチャンネル番号を映像配信依頼者に契約により所定の期間ほど貸与して、映像配信の手数料や貸与料等を受け取るようにしてもよい。【００６８】  システム管理者は、映像配信依頼者に割付けたチャンネル番号ｄ５に、映像配信依頼者が携帯電話機１２で撮像した映像データをアップロードするときに、管理サーバ１１のアップロード用Ｗｅｂページをアクセスするためのログイン情報（ユーザー名ｄ１、パスワードｄ２、機体番号ｄ３またはＩＣカードの製造番号ｄ４）が関連付けられたデータ構成となる配信管理データベースＤ１を作成して、管理サーバ１１の外部記憶装置に登録する。このとき、携帯電話機１２からアップロードされる映像データを蓄積する映像蓄積サーバ１３ａ、１３ｂのＵＲＬも予め設定しておき、このＵＲＬもチャンネル番号ｄ５に関連付けして配信管理データベースＤ１に登録する。これにより、配信管理データベースＤ１には、チャンネル番号ｄ５ごとに、映像をアップロードするためのログイン情報と、映像をアップロードして映像蓄積サーバ１３ａ、１３ｂに蓄積するＵＲＬが登録されることになる。なお、上記ＵＲＬは、映像データを記憶している映像蓄積サーバ１３ａ、１３ｂのスキーム名（ｈｔｔｐ）、ドメイン名（ｗｗｗ．・・・）、ディレクトリを表す。【００６９】  配信管理データベースＤ１に、映像配信依頼者が所有している携帯電話機１２に固有の識別情報である機体番号ｄ３、またはＩＣカードの製造番号ｄ４を登録する処理は、管理サーバ１１のプログラム処理により、前記した図３に示すログイン用ＷｅｂページＲ、および図４に示すログイン確認用ＷｅｂページＳ、図５に示す携帯電話機情報登録用ＷｅｂページＴを携帯電話機１２に表示して、前記した（手順３）〜（手順８）を実施することにより可能になる。【００７０】  続いて、映像配信依頼者が所有している携帯電話機１２で撮像した映像を映像蓄積サーバ１３ａ、１３ｂにアップロードする手順の概要について説明する。この手順は、下記の（手順９）〜（手順１３）になる。【００７１】（手順９）
携帯電話機１２を操作して管理サーバ１１が公開する情報提供サービスのＵＲＬをアクセスすると、管理サーバ１１、前記した図３に示すログイン用ＷｅｂページＲを携帯電話機１２に表示する処理を行なう。【００７２】（手順１０）
映像配信依頼者は、ログイン用ＷｅｂページＲに表示された表示領域Ａ、または表示領域Ｂを利用して、管理サーバ１１が映像を映像蓄積サーバ１３ａ、１３ｂにアップロードする操作を支援するＷｅｂページにログインする操作を行なう。この表示領域Ａを利用してログインしてユーザーを認証する方法は、前記したユーザーに関するログイン情報により認証する方法で記載した通りである。また、表示領域Ｂを利用してログインする方法、すなわち、携帯電話機に固有の識別情報に基づいて認証する方法は前記した通りである。【００７３】（手順１１）
管理サーバ１１は、上記（手順１０）により正当な映像配信依頼者がログインしたと判定すると、図８に示すログイン確認用ＷｅｂページＵを携帯電話機１２に表示する処理を行なう。図８に示すログイン確認用ＷｅｂページＵは、ユーザーに対して映像のアップロードを確認するためのＷｅｂページである。そして、ユーザーが「アップロード」枠ｕ２をクリックすると図９に示すＷｅｂページＶを携帯電話機１２に表示する処理を行なう。
なお、管理サーバ１１は、ログイン確認用ＷｅｂページＵを表示するときに、配信管理データベースＤ１に予め登録している映像配信依頼者に割り付けたチャンネル番号ｄ５を表示領域ｕ１に表示するとよい。これにより、映像配信依頼者は自分に貸与されたチャンネル番号に映像がアップロードされることを確認できるようになる。【００７４】  図９に示すＷｅｂページＶは、映像配信依頼者に対して、携帯電話機１２で撮像した映像を映像蓄積サーバ１３ａ、１３ｂのいずれかにアップロードする操作を支援するＷｅｂページである。管理サーバ１１は、ログイン用ＷｅｂページＲから取得したログイン情報に基づいて配信管理データベースＤ１を検索して該当する映像蓄積サーバのＵＲＬ（ｄ６）をこのＷｅｂページＶの枠ｖ１内に表示する処理を行なう。この枠ｖ１内に表示された映像蓄積サーバのＵＲＬ（ｄ６）は、映像配信依頼者の携帯電話機１２のメモリに記憶されている映像データがアップロードされる映像蓄積サーバ１３ａ、１３ｂのアドレスになる。【００７５】  管理サーバ１１がＷｅｂページＶの枠ｖ１内に蓄積サーバ１３ａ、１３ｂのＵＲＬを表示するためのプログラム処理は、次の処理により実行することができる。
すなわち、管理サーバ１１のユーザー認証プログラムは、ログイン用ＷｅｂページＲから取得したユーザーに関するログイン情報であるユーザー名ｄ１とパスワードｄ２、または携帯電話機１２の機体番号ｄ３（またはＩＣカードの製造番号ｄ４）に基づいて配信管理データベースＤ１を検索することにより、これらログイン情報または機体番号ｄ３と一致して登録されているＵＲＬ（ｄ６）、すなわち、携帯電話機１２のメモリに記憶されている映像をアップロードする映像蓄積サーバ１３ａ、１３ｂのＵＲＬを求めることができる。【００７６】（手順１２）
映像配信依頼者は、ＷｅｂページＶに表示された枠ｖ１内をクリックすると、管理サーバ１１は、枠ｖ１内に表示されたＵＲＬを携帯電話機１２に送信する処理を行なう。【００７７】（手順１３）
続いて、映像配信依頼者は、携帯電話機１２のメール送信機能を利用して携帯電話機１２で撮像した映像を添付ファイルとして管理サーバ１１から取得したＵＲＬに送信する操作を行なう。映像蓄積サーバ１３ａ、１３ｂは、予め携帯電話機１２から受信したＵＲＬど映像データについて、受信したＵＲＬのアドレスに受信した映像データを記憶するプログラムを備えておく。これにより、携帯電話機１２のメモリに記憶されている映像データを、映像配信依頼者のログイン情報に対応して配信管理データベースＤ１に登録されている映像蓄積サーバのＵＲＬ（ｄ６）にアップロードすることができる。【００７８】  上記した第２の実施形態においても、映像配信依頼者は、ログイン用ＷｅｂページＲから自分の携帯電話機１２の機体番号ｄ３（ＩＣカードの製造番号ｄ４）を利用して、図８、図９に示すアップロード支援用Ｗｅｂページのアクセス（ログイン）を行なうことにより、この映像配信依頼者に関するログイン情報であるユーザー名ｄ１とパスワードｄ２の入力操作は不要になる。【００７９】  なお、第２の実施形態において、視聴者が携帯電話機１４ａ、１４ｂを利用して映像蓄積サーバ１３ａ、１３ｂに蓄積されている映像を視聴するときには、管理サーバ１１が公開する情報提供サービスを行なうＵＲＬにアクセスする。そして、管理サーバ１１は、アクセスした携帯電話機１４ａ、１４ｂに図１０に示すＷｅｂページＷを表示させる。図１０に示すＷｅｂページＷは、枠ｗ１内に視聴者が視聴したいチャンネル番号ｄ５を入力するためのＷｅｂページである。視聴者は枠ｕ１内にチャンネル番号ｄ５を入力して「動画受信」枠ｗ２をクリックすると、管理サーバ１１は枠ｗ１内に入力されたャンネル番号ｄ５を取得することができる。【００８０】  管理サーバ１１は、ＷｅｂページＷからチャンネル番号ｄ５を取得すると、プログラム処理により配信管理データベースＤ１を検索して取得したチャンネル番号ｄ５に対応する映像蓄積サーバのＵＲＬ（ｄ６）を求めることができる。これにより、管理サーバ１１はプログラム処理により、このＵＲＬ（ｄ６）に蓄積されている映像を配信要求した携帯電話機１２に配信する制御を行なうことが可能になる。なお、配信依頼者が企業等で有る場合には、チャンネル番号ｄ５ごとに配信する映像のタイトル名等に関する情報を、管理サーバ１１および他のＷｅｂサーバのＷｅｂページ、あるいは印刷物を利用して公開するようにするとよい。【００８１】  また、上記した視聴者が管理サーバ１１をアクセスして、視聴者の携帯電話機に１４ａ、１４ｂに図１０に示す配信要求用ＷｅｂページＷを表示するときにも、本発明のログインシステムを適用するようにしてもよい。
【図面の簡単な説明】
【００８２】
【図１】  本発明のシステムを実施する第１の実施形態を示す情報提供システムについて、そのシステム構成を説明するための図である。
【図２】  図１に示すＷｅｂサーバが備えているユーザー認証用データベースについて、そのデータ構成例を説明するための図である。
【図３】  図１に示すＷｅｂサーバが、携帯電話機の画面に表示するログイン用Ｗｅｂページの一例を示す図である。
【図４】  図３のログイン用Ｗｅｂページから入力されたデータについて、携帯電話機の画面に表示するログイン確認用Ｗｅｂページの一例を示す図である。
【図５】  携帯電話機から、携帯電話機に固有の情報を取得するための携帯電話機情報登録用Ｗｅｂページの一例を示す図である。
【図６】  本発明のシステムを実施する第２の実施形態を示す情報提供システムについて、そのシステム構成を説明するための図である。
【図７】  図６に示すシステムにおいて、管理サーバが備えている配信管理データベースのデータ構成例を説明するための図である。
【図８】  図６に示すシステムにおいて、管理サーバが携帯電話機に表示するログイン確認用Ｗｅｂページの一例を示す図である。
【図９】  図６に示すシステムにおいて、管理サーバが携帯電話機に表示するアップロード支援用Ｗｅｂページの一例を示す図である。
【図１０】  図６に示すシステムにおいて、視聴者が携帯電話機により映像の要求を行なうためのＷｅｂページの一例を示す図である。
【符号の説明】
【００８３】  １：Ｗｅｂサーバ
１ａ：端末装置
２ａ、２ｂ、２ｃ：ユーザーの携帯電話機
７：印刷物
８：２次元バーコード
１１：管理サーバ
１２ａ、１２ｂ、１２ｃ：映像配信依頼者の携帯電話機
１３ａ、１３ｂ：映像蓄積サーバ
１４ａ、１４ｂ：視聴者の携帯電話機
Ｄ：ユーザー認証用データベース
Ｄ１：配信管理データベース
Ｒ：ログイン用Ｗｅｂページ
Ｓ：携帯電話機情報取得用Ｗｅｂページ
Ｔ：電話機情報登録用Ｗｅｂページ
Ｕ：ログイン確認用Ｗｅｂページ
Ｖ：アップロード支援用Ｗｅｂページ
Ｗ：配信要求用Ｗｅｂページ
【図１】
2007133845.tif 000003
【図２】
2007133845.tif 000004
【図３】
2007133845.tif 000005
【図４】
2007133845.tif 000006
【図５】
2007133845.tif 000007
【図６】
2007133845.tif 000008
【図７】
2007133845.tif 000009
【図８】
2007133845.tif 000010
【図９】
2007133845.tif 000011
【図１０】
2007133845.tif 000012